(57)【要約】【課題】様々な症状を持つ患者に対して、広く適合することのできる新たな骨盤臓器脱防止用具を提供する。【解決手段】患部に押し当てて骨盤臓器脱を治療または予防するクッション部分と、該クッション部分を収納して下着と前記患部との間に装着される収納帯とを備え、前記クッション部分は、開閉可能に構成された伸縮する袋と、該袋内に収納される緩衝材とで構成され、該緩衝材の前記袋内への充填量を加減することにより、前記クッション部分の大きさや硬さを調整する。【選択図】図１
2016005509.tif 000002
【特許請求の範囲】
【請求項１】
脱出しようとする骨盤臓器と対向する位置（患部）に押し当てて骨盤臓器脱を治療または予防するクッション部分と、該クッション部分を収納して下着と前記患部との間に装着される収納帯とを備え、前記クッション部分は、開閉可能に構成された伸縮する袋と、該袋内に収納される緩衝材とで構成され、該緩衝材の前記袋内への充填量を加減することにより、前記クッション部分の大きさや硬さを調整するようにした骨盤臓器脱防止用具。
【請求項２】
前記緩衝材がコンスターチを主成分とした発泡製品であり、前記収納帯が竹布製である請求項１に記載の骨盤臓器脱防止用具。
【発明の詳細な説明】
【技術分野】
【０００１】
本発明は、骨盤臓器脱の患者が使用する骨盤臓器脱防止用具に関する。
【背景技術】
【０００２】
骨盤臓器脱とは、骨盤の中にある子宮、膀胱、直腸などの臓器が膣の中に落ち込み、膣壁と一緒に体外に脱出してしまう病気である。骨盤臓器脱は、骨盤内の臓器を支える筋肉などが出産や更年期などにより緩み、臓器を支えることができなくなることにより発症する。症状は、臓器の脱出の程度によって異なり、軽度であれば違和感がある程度であるが、重度になると歩行困難になるなど、日常生活に支障を来すこともある。
【０００３】
骨盤臓器脱の治療方法として代表的なのは、外科手術療法とペッサリー療法がある。しかし、これらの療法にはいずれも一長一短があり、各療法の欠点を解消する器具として、例えば、特許文献１に開示されたものが知られている。
【０００４】
特許文献１には、表面が柔軟性を有するドーム状の受容部材と、この受容部材を支持する支持部材を有する骨盤臓器脱防止用具が開示されている。この骨盤臓器脱防止用具は、脱出している骨盤臓器と対向する位置に受容部材が位置するように固定され、受容部材で骨盤臓器脱を外側から押さえ付けることによって骨盤臓器が脱出するのを防止する。
【先行技術文献】
【特許文献】
【０００５】
【特許文献１】国際公開２０１０/０４１７４５
【発明の概要】
【発明が解決しようとする課題】
【０００６】
特許文献１に記載の防止用具は、防止用具の固定のために、支持部材が固定される固定シートを介して下着に固定したり、さらには下着の上から保持ベルトで押さえたりするなどしており、防止用具のみでは十分な効果が得られない場合があった。また、これは臓器脱の初期症状にしか使えないとされ、重度の患者には使えない物であった。また、使用しているスポンジにはほとんど反発力がなく、臓器を押し戻す力はない。また、クッション部分を体に直接押し当てるだけで、膣の出口が広がったままになり、より臓器が脱出しやすくなる。軽度の場合は、臓器が元の位置に戻ることも考えられるが、症状が進んだ場合、効果は期待できない。また、シリコン材が肌に直接当たるために使用感もよくない。さらに、クッション部分の硬さが同じなため、様々な症状に対応できないものであった。
【０００７】
本発明は、このような様々な症状を持つ患者に対して、広く適合することのできる新たな骨盤臓器脱防止用具を提供することを課題とする。
【課題を解決するための手段】
【０００８】
本発明の骨盤臓器脱防止用具は、脱出しようとする骨盤臓器と対向する位置（以下、患部と云う。）に押し当てて骨盤臓器脱を治療または予防するクッション部分と、該クッション部分を収納して下着と前記患部との間に装着される収納帯とを備え、前記クッション部分は、開閉可能に構成された伸縮する袋と、該袋内に収納される緩衝材とで構成され、該緩衝材の前記袋内への充填量を加減することにより、前記クッション部分の大きさや硬さが調整できるようにしたものである。
【０００９】
前記袋は、例えば、薄膜状のシリコン材または天然ゴム材でもって外形が卵形に成形された風船のような袋である。その一部には、密閉可能な開閉口を設けておき、そこから緩衝材を充填する。この緩衝材としては、例えば、ポリプロピレンをコンスターチに４０％程度加えて発泡させたハイタッチ緩衝材（イージェイ株式会社の商標）を用いる。そうすれば、身体に優しく、弾力性も自在に調整できる。この緩衝材を球状に丸めたものを複数個袋内に充填するが、その際の充填量を加減すれば、クッション部分の大きさや硬さを自在に加減することができる。したがって、患者の症状に合わせてクッション部分の硬さや大きさを調整すれば、脱出してくる臓器を違和感なく押し戻すことができる。また、このクッション部分を収納する収納帯としては、例えば、生理用ナプキン形の帯布を用い、その中央部分にポケットを形成しておき、そのポケットにクッション部分を収納するようにする。そうすれば、クッション部分が直接肌に触れないので、使用感も改善される。
また、この収納帯に竹布を使えば、常にサラサラ感があって不快感を改善することができる。さらに、この収納帯を押さえるガードルも市販の物で充分使用可能であるから、使用するガードルの締め付け力も各自の好みに応じたものを使用することができる。
【発明の効果】
【００１０】
本発明によれば、脱出してくる臓器を押し戻すクッション部分の大きさや硬さを自在に加減することができるから、様々な症状を持つ患者に対して、広く適合できる汎用性の高い骨盤臓器脱防止用具を提供することができる。
【図面の簡単な説明】
【００１１】
【図１】本発明に係る骨盤臓器脱防止用具を分解して示した分解外観斜視図。
【図２】緩衝材を充填していない状態のクッション部分の平面図。
【図３】緩衝材を充填した状態のクッション部分の断面図。
【図４】収納帯の他の実施例を示す外観斜視図。
【図５】収納帯を下着に装着した状態を示す外観斜視図。
【発明を実施するための形態】
【００１２】
以下、図面を参照して、本発明の一実施形態である骨盤臓器脱防止用具を説明する。
図１〜図３において、骨盤臓器脱防止用具１は、クッション部分１０と、このクッション部分１０を収納する収納帯２０とで構成される。このクッション部分１０は、開閉可能に構成された伸縮する袋１１と、該袋１１内に収納される緩衝材１２とで構成され、その緩衝材１２の充填量を加減することにより、クッション部分１０の大きさや硬さを自在に調整するようにしたものである。
【００１３】
クッション部分１０を構成する袋１１は、薄膜状のシリコン材または天然ゴム材で風船のように形成され、その袋１１内に緩衝材１２を充填すると、その外形が卵形に膨らむように成形されている。また、袋１１の一部には、折り返すことによって密閉される開閉口１３が設けられ、そこから緩衝材１２を詰めることができるようになっている。
【００１４】
緩衝材としては、ポリプロピレンをコンスターチに４０％程度加えて発砲させたハイタッチ緩衝材（イージェイ株式会社の商標）を用いる。この緩衝材１２は、主成分がコンスターチであることから、身体に優しく弾力性もあり、安価に入手できるメリットがある。この緩衝材１２は、大きさが親指程度に成形されているので、それを複数個用意し、それらを袋１１に詰めるときは、球状に丸めて充填量を加減しながら袋１１に詰め込む。もちろん、球状に丸めないで緩く詰めて、仕上げを柔らかくすることも可能である。そして、開閉口１３を折り返して紙テープ１４等で止めれば、患者の症状に合った大きさや硬さのクッション部分１０を作ることができる。
【００１５】
収納帯２０は、クッション部分１０を固定できるものであれば、どのような形状であっても良いが、ここでは、その一例として、生理用ナプキン形の帯布を示している。この収納帯は、その中央部分にポケット２１を形成しており、そのポケット２１にクッション部分１０を収納するようにしている。したがって、ポケット２１のサイズは、クッション部分１０大きさに合わせて、大小取り揃えても良いし、ある程度伸縮するように構成しても良い。
なお、図１に示すポケット２１の入口は、収納帯２０を装着したときに、それが外側に向くように配置しており、患部に当たる内側は、クッション部分１０の形状・大きさに適合して伸縮するように柔軟性を持たせている。
【００１６】
図４は、竹布製の布ナプキンで収納帯２０を形成した場合の一例を示す。この図において、布ナプキン２０ａの中央部分にポケット２１ａを取り付け、そのポケット２１ａにクッション部分１０を収納する。また、布ナプキン２０ａの対向する角部２２ａ、２２ａに、一対のホック２３ａ、２３ａを取り付ける。この竹布製ナプキンは、吸水性・消臭製に優れ、しかも抗菌性にも優れているので、患部に当てる収納帯２０としては、最適である。
【００１７】
収納帯２０を下着に装着するときは、図５に示すように、クッション部分１０を収納したポケット２１ａを下着の股間部分の内側に当て、下着の両サイドからはみ出た一対の角部２２ａ、２２ａを下着の表側に回して、下着の前側で一対のホック２３ａ、２３ａを重ねて止める。また、必要に応じて、その上から適宜な締め付け力のあるガードルを履く。あるいは、ストレッチの効いた下着に収納帯２０を装着して、体により密着させるのも良い。こうすれば、自分の症状に合わせて患部を最適な状態で押さえることができる。
【符号の説明】
【００１８】
１０      クッション部分
１１      袋
１２      緩衝材
２０      収納帯
【図１】
2016005509.tif 000003
【図２】
2016005509.tif 000004
【図３】
2016005509.tif 000005
【図４】
2016005509.tif 000006
【図５】
2016005509.tif 000007